(57)【要約】【課題】患者の顔面に飛散物が付着することがないとともに、患者の顔面からずれにくい歯科用フェイスカバーを提供する。【解決手段】患者の顔面の少なくとも目から口までを覆うシート本体１０には、患者の口が露出される開口部２０と、患者の耳に係止される一対の耳掛けスリット３０，３１が形成されており、開口部２０は、シート本体１０を患者の顔面に覆う際に、シート本体１０の頂点１０Ａを鼻尖に位置合わせすることにより、患者の鼻翼を含む鼻先部分を露出させる三角形状に形成されている。【選択図】図１
0003214805.tif 000002
【実用新案登録請求の範囲】
【請求項１】
患者の顔面の少なくとも目から口までを覆うシート本体と、上記シート本体に上記口を露出させるための開口部とを備える歯科用フェイスカバーにおいて、
上記開口部は、上記シート本体を上記顔面に覆う際に、その１つの頂点を患者の鼻尖に位置合わせすることにより、患者の口とともに、鼻翼を含む鼻先部分を露出させる三角形状に形成されていることを特徴とする歯科用フェイスカバー。
【請求項２】
上記シート本体には、上記開口部を挟んだ対称位置に、患者の耳に係止される一対の耳掛けスリットが形成されており、上記一対の耳掛けスリットは、それぞれその下端部が所定の角度をもって上記開口部側に近づくように傾斜されていることを特徴とする請求項１に記載の歯科用フェイスカバー。
【請求項３】
上記開口部は、一辺を５０ｍｍ〜１５０ｍｍとする正三角形に形成されていることを特徴とする請求項１または２に記載の歯科用フェイスカバー。
【請求項４】
上記耳掛けスリットは、スリット長さが５０ｍｍ〜１５０ｍｍ、その上端部から下端部への傾斜角が３°〜８°とされていることを特徴とする請求項２または３に記載の歯科用フェイスカバー。
【請求項５】
上記シート本体は、患者の顔面側に位置する防水シートと、その防水シート上に積層される吸水シートとを含む少なくとも２層以上の構造とすることを特徴とする請求項１ないし４のいずれか１項に記載の歯科用フェイスカバー。
【考案の詳細な説明】
【技術分野】
【０００１】
本考案は、歯科治療の際に患者の顔面を覆う歯科用フェイスカバーに関し、さらに詳しく言えば、歯科治療の際に飛散する水滴や粉塵が患者の顔面に付着することを防ぐようにした歯科用フェイスカバーに関する。
【背景技術】
【０００２】
歯科治療においては、歯牙の切削、研磨、除石を行うエアータービンなどの切削用器材や超音波スケーラーなどの研磨用器材、および乾燥、冷却、洗浄を行うシリンジが頻繁に使用されている。
【０００３】
これら器材の使用により、切削粉塵、冷却水などが患者の口腔外へと飛散することが多く、これを防ぐため、歯科用吸引装置（バキューム装置）が用いられることが一般的である。
【０００４】
しかしながら、歯科用吸引装置は、口腔の深いところ、例えば、奥歯の治療では有効であるが、口腔の入り口にある前歯の治療では、切削粉塵や冷却水などの飛散物の飛散を防ぐことができず、飛散物が患者の口腔周辺に飛び散り患者の顔面が汚れるという問題がある。
【０００５】
そのため、下記特許文献１のように、歯科治療時に飛散物が患者の口腔周辺に飛散して顔面を汚すのを防ぐために、患者の顔面の下半分を覆うシートのほぼ中央に、口腔部を露出させる開窓部を形成した歯科用フェイスカバーが提案されている。
【０００６】
しかしながら、下記特許文献１の歯科用フェイスカバーは、シートを単に顔面上に覆うものであるため、歯科治療時における患者の口の開閉等の動きなどによりシートが顔面からずれるという問題があった。
【０００７】
加えて、歯科治療時の診察台のリクライニング動作によって、歯科用フェイスカバーが顔面からずれるばかりでなく、下方にずれたり落下するという問題や、施術者や衛生士等のスタッフの往来による風圧によって、歯科用フェイスカバーが顔面から浮いてしまったりずれてしまうという問題もあった。
【０００８】
また、下記特許文献２では、下記特許文献１と同様に患者の口腔周辺の汚れを防ぐために、顔面全体を覆うカバー本体と、カバー本体のほぼ中央に鼻および口を露出させる開口部を設けた歯科用フェイスカバーが提案されている。
【０００９】
下記特許文献２では、鼻を開口部から露出せることで、治療時にカバー本体が患者の顔面からずれにくいという利点がある。しかしながら、鼻が露出されるため、治療時に飛散する飛散物が鼻全体に飛散することがあり、患者顔面への飛散物の付着を十分に防ぐことができないという問題があった。
【００１０】
すなわち、下記特許文献１および２では、歯科治療時の飛散物がなるべく顔面に付着しないようにしているが、未だ十分とはいえず、歯科治療時における患者の不快感を除くには至っていない。
【先行技術文献】
【特許文献】
【００１１】
【特許文献１】実用新案登録第３１０１２５９号公報
【特許文献２】実用新案登録第３１１０９６４号公報
【考案の概要】
【考案が解決しようとする課題】
【００１２】
本考案は、上記従来技術の問題に鑑みてなされたもので、その目的は、歯科治療時に発生する切削粉塵や冷却水等の飛散物が患者の顔面に付着するのを防ぐことができるとともに、患者の顔面からずれにくくした歯科用フェイスカバーを提供することにある。
【課題を解決するための手段】
【００１３】
上記課題を解決するため、本考案は、患者の顔面の少なくとも目から口までを覆うシート本体と、上記シート本体に上記口を露出させるための開口部とを備える歯科用フェイスカバーにおいて、
本考案において、上記開口部は、上記シート本体を上記顔面に覆う際に、その１つの頂点を患者の鼻尖に位置合わせすることにより、患者の口とともに、鼻翼を含む鼻先部分を露出させる三角形状に形成するとよく、例えば、一辺を５０ｍｍ〜１５０ｍｍとする正三角形に形成することが好ましい。
【００１４】
また、上記シート本体には、上記開口部を挟んだ対称位置に、患者の耳に係止される一対の耳掛けスリットが形成されており、上記一対の耳掛けスリットを、それぞれその下端部が所定の角度をもって上記開口部側に近づくように傾斜するように形成するとよく、例えば、スリット長さを５０ｍｍ〜１５０ｍｍ、その上端部から下端部への傾斜角を３°〜８°とすることが好ましい。
【００１５】
本考案において、上記シート本体を、患者の顔面側に位置する防水シートと、その防水シート上に積層される吸水シートとを含む少なくとも２層以上の構造とするとよい。
【考案の効果】
【００１６】
本考案によれば、シート本体に形成される開口部に露出される部位を、歯科治療時に開閉が必要な口と、鼻翼を含む鼻の先端部分のみとしたことにより、それ以外の顔面に切削粉塵や冷却水等の飛散物が患者の顔面に付着することを防ぐことができるため、従来に比して、患者の不快感を低減させることができる。
【００１７】
また、三角形状からなる開口部の１つの頂点を鼻尖に掛けるという簡単な作業により、シート本体を口を露出させる位置に位置決めすることができる。
【００１８】
さらに、シート本体には患者の耳を係止するスリットが形成されているため、シート本体を患者の顔面にしっかりと覆うことができ、歯科治療時の患者の動きによらず、シート本体が顔面からずれることを防ぐことができる。
【００１９】
なお、うがい等、シート本体を顔面から外す必要がある場合には、例えば、一方の耳を一方の耳掛けスリットに係着した状態でシート本体を顔面から外すことができ、うがいの後、他方の耳を他方の耳掛けスリットへと再び係着させれば、スムースに次の治療の準備をすることができる。
【図面の簡単な説明】
【００２０】
【図１】本実施形態の歯科用フェイスカバーを模式的に示す平面図。
【図２】本実施形態のカバー本体を模式的に示す説明図。
【図３】本実施形態の歯科用フェイスカバーを患者に被覆した状態を模式的に示す説明図。
【考案を実施するための形態】
【００２１】
以下、図面を参照して本考案の歯科用フェイスカバーを説明するが、本考案は、以下の実施形態に限定されることはない。
【００２２】
図１には、本考案の歯科用フェイスカバー１が示されており、この歯科用フェイスカバー１は、略正方形のカバー本体１０と、カバー本体１０の略中央に設けられ、患者の口を露出させる略正三角形の開口部２０と、開口部２０を挟んだ対象位置に所定の傾斜角をもって切り溝され、患者の耳に係止される一対の耳掛けスリット３０，３１とを備えている。
【００２３】
本実施形態において、カバー本体１０は、少なくとも患者の目から口を覆うように形成されるシート体からなり、患者の顔面側に配置される防水シート１１と、防水シート１１上に積層された吸水シート１２の２層構造で形成されている。
【００２４】
この例では、吸水シート１２には再生紙等の紙材が用いられており、この吸水シート１２にポリエチレン等の合成樹脂を薄くラミネート加工したものが防水シート１２として用いられている。
【００２５】
なお、本実施形態のカバー本体１０では、吸水シート１２に再生紙等の紙材を用い、その裏面側にポリエチレン等の合成樹脂をラミネート加工して防水シート１１としたことにより、軽量で、かつ、光を透過する構成となっている。
【００２６】
そのため、このカバー本体１０を患者の顔面に覆った場合には、カバー本体１１を通して患者から医師側が透けて見えるようになっており、患者にとっては、医師と直接目が合うことはないが医師の様子を窺い知ることができるため、医師の顔が見える安心感から必要以上の緊張感を覚えることがないようになっている。
【００２７】
本実施形態では、カバー本体１０は、図１に示すように、成人男性に用いられる歯科用フェイスカバーとして、患者の頭部から胸部を覆う大きさ、例えば、幅１０Ｌ１が４５０ｍｍ、高さ１０Ｌ２が４５０ｍｍの略正方形に形成されているが、これに限られることはない。
【００２８】
カバー本体１０は、少なくとも患者の目から口を覆うことができる大きさであればよく、成人女性、小児等、患者の顔の大きさや体格に応じて適宜選択するとよい。
【００２９】
本実施形態において、開口部２０は、カバー本体１０の幅１０Ｌ１の中心線１０Ｃ上を１つの頂点２０Ａとする略正三角形に形成されており、この例では、カバー本体１０と同様に、成人男性に用いられる歯科用フェイスカバーとして、一辺を１００ｍｍとする正三角形に形成されている。
【００３０】
そのため、図３に示すように、開口部２０の頂点２０Ａに患者の鼻尖を位置させることにより、開口部２０内には、鼻翼を含む鼻の先端部と口とを露出させることができるようになっている。
【００３１】
この場合、カバー本体１０の中心線１０Ｃが鼻背を跨がるように患者の顔面に被覆されるため、カバー本体１０を、患者の鼻を中心線として、患者の顔面に安定的に被覆することができる。
【００３２】
また、開口部２０からは、歯科治療時に開閉が必要な口と、鼻翼を含む鼻の先端部分のみが露出されるようになっているため、それ以外の顔面に切削粉塵や冷却水等の飛散物が患者の顔面に付着することを防ぐことができる。
【００３３】
そして、開口部２０の頂点２０Ａを鼻尖に位置合わせするという簡単な作業により、患者の口を開口部から簡単に露出させることができるため、歯科用フェイスカバーを使用することによる治療時間に支障を来すこともない。
【００３４】
なお、本実施形態では、開口部２０を、その一辺を１００ｍｍとする正三角形に形成した例で説明しているが、成人女性、小児等、患者の顔の大きさや体格に応じて適宜選択されることはいうまでもなく、例えば、その一辺を５０ｍｍ〜１５０ｍｍの範囲内とするとよく、より好ましくは、その一辺を７０ｍｍ〜１２０ｍｍの範囲内とするとよい。
【００３５】
一対の耳掛けスリット３０，３１は、図１に示すように、開口部２０を挟んだ対象位置に所定の傾斜角をもって形成される。
【００３６】
この例で、一方の耳掛けスリット３０は、図１に示すように、カバー本体１０のコーナー部１０Ａから幅１０Ｌ１方向７０ｍｍと、カバー本体１０のコーナー部１０Ａから高さ１０Ｌ２方向９５ｍｍとを結んだ位置を上端部３０ａとし、カバー本体１０のコーナー部１０Ａから幅１０Ｌ１方向７５ｍｍと、カバー本体１０のコーナー部１０Ａから高さ１０Ｌ２方向１６５ｍｍとを結んだ位置を下端部３０ｂとした切り溝である。
【００３７】
また、同様に、他方の耳掛けスリット３１も、図１に示すように、カバー本体１０のコーナー部１０Ｂから幅１０Ｌ１方向７０ｍｍと、カバー本体１０のコーナー部１０Ｂから高さ１０Ｌ２方向９５ｍｍとを結んだ位置を上端部３１ａとし、カバー本体１０のコーナー部１０Ｂから幅１０Ｌ１方向７５ｍｍと、カバー本体１０のコーナー部１０Ｂから高さ１０Ｌ２方向１６５ｍｍとを結んだ位置を下端部３１ｂとした切り溝である。
【００３８】
なお、この例で、一対の耳掛けスリット３０，３１は、それらの下端部３０ｂ，３１ｂを開口部２０側に近づけることにより、図１に示すように、所定の傾斜角θ、この例ではθ＝６°とした傾斜角を備えている。
【００３９】
すなわち、一般に人の耳は、そのつけ根部分が頭部側から顎部側にかけて顔面の中心側に向かって斜め方向に備えられているため、このように、耳掛けスリット３０，３１に所定の傾斜角を持たせることにより、カバー本体１０を患者の耳の傾斜角に沿って安定して装着させることができる。
【００４０】
なお、この例では、耳掛けスリット３０，３１は、成人男性に用いられる歯科用フェイスカバーとして、上端部３０ａ，３１ａから下端部３０ｂ，３１ｂまでのスリット長は１７５ｍｍとしているが、これに限られることはなく、カバー本体１０や開口部２０と同様に、成人女性、小児等、患者の顔の大きさや体格に応じて適宜選択されるよい。
【００４１】
例えば、耳掛けスリット３０，３１のスリット長を５０ｍｍ〜１５０ｍｍの範囲内とするとよく、より好ましくは、６０ｍｍ〜８０ｍｍの範囲内とし、その傾斜角θを３°〜８°の範囲内とするとよい。
【００４２】
なお、本発明の歯科用フェイスカバーにおける開口部および耳掛けスリットの位置・大きさ・範囲は、上記したように、患者の顔の大きさや体格等に応じて適宜選択されるため、開口部の一辺長、耳掛けスリットのスリット長さ、開口部と耳掛けスリットとの水平距離・上下距離は仕様に応じて変動する。
【００４３】
また、本実施形態では、カバー本体１０を、吸水シート１１に再生紙等の紙材を用い、その裏面側にポリエチレン等の合成樹脂をラミネート加工して防水シート１２とした２層構造の例で説明したが、これに限られることはない。
【００４４】
例えば、カバー本体を、患者の顔面側に位置する防水シートと、その防水シートの上に積層される吸水シートと、この吸水シートの上にさらに防水シートを積層する３層構造としてもよく、また、防水シートと吸水シートとをを適宜に組み合わせた多重層の構造としてもよい。
【００４５】
また、吸水シート１１として、吸水性の高いクレープ紙を用いたり、防水シート１２として、例えば、吸水シート１１にウレタン樹脂を塗布したものを用いてもよく、医師側の面を吸水性を備える吸水シートとし、患者側に触れる面に防水性を備える防水シートとできるものであれば、その材料、加工方法は適宜選択できる。
【符号の説明】
【００４６】
１  歯科用フェイスカバー
１０  カバー本体
１０Ａ，１０Ｂ  コーナー部
１０Ｃ  中心線
１０Ｌ１  幅
１０Ｌ２  高さ
１１  吸水シート
１２  防水シート
２０  開口部
２０Ａ  頂点
３０，３１  耳掛けスリット
【図１】
0003214805.tif 000003
【図２】
0003214805.tif 000004
【図３】
0003214805.tif 000005
【手続補正書】
【提出日】平成29年12月11日(2017.12.11)
【手続補正１】
【補正対象書類名】実用新案登録請求の範囲
【補正対象項目名】全文
【補正方法】変更
【補正の内容】
【実用新案登録請求の範囲】
【請求項１】
患者の顔面の少なくとも目から口までを覆うシート本体と、上記シート本体に上記口を露出させるための開口部とを備える歯科用フェイスカバーにおいて、
上記開口部は、上記シート本体を上記顔面に覆う際に、その１つの頂点を患者の鼻尖に位置合わせすることにより、患者の口とともに、鼻翼を含む鼻先部分を露出させる三角形状に形成されていることを特徴とする歯科用フェイスカバー。
【請求項２】
上記シート本体には、上記開口部を挟んだ対称位置に、患者の耳に係止される一対の耳掛けスリットが形成されており、上記一対の耳掛けスリットは、それぞれその下端部が所定の角度をもって上記開口部側に近づくように傾斜されていることを特徴とする請求項１に記載の歯科用フェイスカバー。
【請求項３】
上記開口部は、一辺を５０ｍｍ〜１５０ｍｍとする正三角形に形成されていることを特徴とする請求項１または２に記載の歯科用フェイスカバー。
【請求項４】
上記耳掛けスリットは、スリット長さが５０ｍｍ〜１５０ｍｍ、その上端部から下端部への傾斜角が３°〜８°とされていることを特徴とする請求項２に記載の歯科用フェイスカバー。
【請求項５】
上記シート本体は、患者の顔面側に位置する防水シートと、その防水シート上に積層される吸水シートとを含む少なくとも２層以上の構造とすることを特徴とする請求項１ないし４のいずれか１項に記載の歯科用フェイスカバー。